(57)【要約】      （修正有）【課題】口腔インプラント治療を受けた患者が過去に受けた治療内容を他者に対して容易かつ明確に開示できるようにした口腔インプラント治療の情報記録体を提供する。【解決手段】口腔インプラント治療の情報記録体１であって、記録体本体２と、記録体本体に設けられ、口腔インプラント治療を受けた患者を特定するための個人情報を記録する個人情報記録部９と、記録体本体に設けられ、口腔インプラント治療の内容を記録する治療内容記録部１２とを含む。【選択図】図２
0003181498.tif 000002
【実用新案登録請求の範囲】
【請求項１】
口腔インプラント治療の情報記録体であって、
記録体本体と、
前記記録体本体に設けられ、前記口腔インプラント治療を受けた患者を特定するための個人情報を記録する個人情報記録部と、
前記記録体本体に設けられ、前記口腔インプラント治療の内容を記録する治療内容記録部と、
を含むことを特徴とする口腔インプラント治療の情報記録体。
【請求項２】
前記記録体本体が紙のシートから成ることを特徴とする請求項１に記載の口腔インプラント治療の情報記録体。
【請求項３】
前記記録体本体が一枚のシートから成るとともに冊子状に折り畳み可能であることを特徴とする請求項１または請求項２に記載の口腔インプラント治療の情報記録体。
【請求項４】
前記口腔インプラント治療により前記患者に装着した構造物の識別ラベルを貼付するラベル貼付欄を設けたことを特徴とする請求項１から請求項３のいずれか１項に記載の口腔インプラント治療の情報記録体。
【考案の詳細な説明】
【技術分野】
【０００１】
本考案は、口腔インプラント治療の情報記録体に関し、より詳しくは、口腔インプラント治療を受けた患者が保有し、患者が過去に受けた治療内容を記録するとともに治療内容を他者に対して容易かつ明確に開示できる口腔インプラント治療の情報記録体に関する。
【背景技術】
【０００２】
欠損歯を補うために口腔インプラント治療が行われている。口腔インプラント治療は、下記特許文献１に開示される如く、顎骨にインプラント（人工歯根）を埋め込み、その上に人工歯を装着する外科的な施術である。
【０００３】
口腔インプラント治療は、ブリッジ治療のように健康な歯を削る必要がなく、入れ歯のようなガタつきもなく、自分の歯と同じように噛めるという利点があるため、近年、急速に普及している。
【先行技術文献】
【特許文献】
【０００４】
【特許文献１】特開２０１２−１２０８９８号公報
【考案の概要】
【考案が解決しようとする課題】
【０００５】
近年の口腔インプラント治療の増加に伴い、患者が最初に口腔インプラント治療を受けた医療機関（以下「１次医療機関」と称する。）とは異なる医療機関（以下「２次医療機関」と称する。）に治療を依頼するケースも増えてきている。その場合、２次医療機関では、１次医療機関が行った治療の内容がわかりにくいという問題がある。
【０００６】
例えば、一般的な口腔インプラントでは、顎骨に埋め込んだインプラントと人工歯とを連結する構造が、インプラントに固定するアバットメントスクリューと、人工歯を固定するスクリューとから成っている。
【０００７】
これらのスクリューには、通常、１日に数千回から数万回の応力（咀嚼時は40〜70kg、睡眠時の歯ぎしりでは100〜300 kg）がかかるため、口腔インプラント治療から長期間が経過すると、スクリューの破損が生じることがある。
【０００８】
患者がインプラントの破損箇所のメンテナンスを２次医療機関に依頼する場合、２次医療機関では、口腔内にあるインプラントとアバットメントのメーカー名や品番等を視診やレントゲン画像では特定しにくいという問題がある。
【０００９】
もし、患者が１次医療機関で受けた口腔インプラント治療に関する情報を保有していれば、それを２次医療機関に開示することにより、２次医療機関は速やかに適切な処置を行うことが可能となる。
【００１０】
本考案は上記事情を鑑みてなされたものであり、その目的は、口腔インプラント治療を受けた患者が過去に受けた治療内容を他者に対して容易かつ明確に開示できるようにすることにある。
【課題を解決するための手段】
【００１１】
上記課題を解決するために、本考案は、口腔インプラント治療の情報記録体であって、記録体本体と、記録体本体に設けられ、口腔インプラント治療を受けた患者を特定するための個人情報を記録する個人情報記録部と、記録体本体に設けられ、口腔インプラント治療の内容を記録する治療内容記録部とを含むことを特徴としている。
【００１２】
なお、記録体本体は、例えば、紙のシートから成るものとすることができる。この場合、軽量で持ち運びが容易であるとともに、製造コストが安価という利点がある。
【００１３】
また、記録体本体は、一枚のシートから成るとともに冊子状に折り畳み可能なものとすることができる。この場合、コンパクトであるため、持ち運びや収納が容易という利点がある。
【００１４】
また、口腔インプラント治療により患者に装着した構造物の識別ラベルを貼付するラベル貼付欄を設けるようにしてもよい。この場合、患者に装着した構造物の特定が容易になるので、便利である。
【考案の効果】
【００１５】
本考案によれば、口腔インプラント治療を受けた患者が過去に受けた治療内容を他者に対して容易かつ明確に開示できる。
【図面の簡単な説明】
【００１６】
【図１】本考案の一実施形態の平面図である。
【図２】実施形態の展開図（内面側）であり、情報記入前の状態を示す図である。
【図３】実施形態の展開図（外面側）であり、情報記入前の状態を示す図である。
【図４】図２の一部拡大図であり、情報記入後の状態を示す図である。
【図５】図２の一部拡大図であり、情報記入後の状態を示す図である。
【考案を実施するための形態】
【００１７】
以下、図面を参照して本考案による実施形態を説明する。
【００１８】
図１は本考案の一実施形態の平面図を示す。図１において、本考案の口腔インプラント治療の情報記録体の一実施形態である口腔インプラント手帳１は、コート紙等から成る一枚の矩形状のシートにより形成された手帳本体（記録体本体）２を折り畳んで冊子状にしたものである。
【００１９】
図２は本実施形態の展開図（内面側）であり、情報記入前の状態を示す。図２に示すように、手帳本体２は、第１の折曲線３と第２の折曲線４とによって、第１のパート５、第２のパート６及び第３のパート７に区画されている。第２の折曲線４に沿って第３のパート７を第２のパート６上に折り重ね、第１の折曲線３に沿って第１のパート５を第３のパート７上に折り重ねることにより、図１に示すような冊子状となる。
【００２０】
第１のパート５の内面５ａの上部には患者への注意事項８が印刷され、その下方には個人情報記録部９が印刷され、その下方には歯科医院への注意事項１０が印刷され、さらにその下方には記入例１１が印刷されている。なお、点線で囲んだ部分には文字情報が印字されているが、図面を見やすくするために、図２では空白としてある（印字内容は図４参照）。
【００２１】
個人情報記録部９は、患者の氏名、性別、生年月日、住所、電話番号、その他の連絡事項の記入欄を有しており、患者がボールペン等の筆記具を用いて情報を記入する。
【００２２】
第２のパート６の内面６ａ及び第３のパート７の内面７ａのほぼ全体には、それぞれ治療内容記録部１２が印刷されている。
【００２３】
図３は実施形態の展開図（外面側）であり、情報記入前の状態を示す。図３に示すように、第３のパート７の外面７ｂのほぼ全体にも治療内容記録部１２が印刷され、第１のパート５の外面５ｂの上部には表題１３が印刷されている。第２のパート６の外面６ｂは、本実施形態では空白であるが、意匠等を施すようにしてもよい。
【００２４】
治療内容記録部１２は、患者が口腔インプラント治療を受けた歯科医院の名称、住所、電話番号、インプラント施術日、施術部位、インプラントのメーカ名（インプラント名）、アバットメントの装着日、担当医コメントの記入欄を有しており、担当医がボールペン等の筆記具を用いて情報を記入する。
【００２５】
なお、治療内容記録部１２には、口腔インプラント治療により患者に装着したインプラントやアバットメント等の構造物のメーカー名、品番等を記載した識別ラベルを貼付するラベル貼付欄を設けておくのがよい。本実施形態では、患者に装着したインプラントの品番ラベルを貼付するラベル貼付欄１４と、患者に装着したアバットメントの品番ラベルを貼付するラベル貼付欄１５とを設けている。
【００２６】
次に、本実施形態の口腔インプラント手帳１の使用方法を説明する。図４は図２の第１パート５の拡大図であり、情報記入後の状態を示す。図５は図２の第２のパート６の拡大図であり、情報記入後の状態を示す。
【００２７】
口腔インプラント治療を受けた患者は、図４に示す如く、口腔インプラント手帳１の個人情報記録部９に必要事項を記入する。例えば、患者は、「氏名」の欄に患者の氏名「山田太郎」を記入し、「生年月日」の欄に患者の生年月日「１９３９年×月×日」を記入し、住所の欄に患者の自宅の住所「大阪府堺市××××  ××-××」を記入し、「電話」の欄に患者の自宅の電話番号「０７２−×××−××××」を記入する。
【００２８】
また、患者は、治療を行った歯科医院の担当医に口腔インプラント手帳１を渡し、図５に示すように、治療内容記録部１２に必要事項を記入してもらう。例えば、担当医は、「治療歯科医院名」の欄に歯科医院名「××歯科」を記入し、「住所」の欄に歯科医院の住所「大阪市中央区北浜××-××」を記入し、「電話」の欄に歯科医院の電話番号「０６−××××−××××」を記入する。
【００２９】
また、担当医は、「インプラント施術日（手術日）」の欄に患者にインプラント施術を行った日「２０１１年×月×日」を記入し、「手術部位」の欄にインプラント施術を行った部位「７６５」を記入し、「メーカ名（インプラント名）」の欄に患者に装着したインプラントのメーカ名「××インプラント（株）」と、患者に装着したインプラントの名称「○○ＩＭＰＬＡＮＴ」を記入し、「上部構造物（アバットメント）装着日」の欄に患者に上部構造物（アバットメント）を装着した日「２０１２年×月×日」を記入する。
【００３０】
歯科医院がインプラントの品番ラベルとアバットメントの品番ラベルのいずれか一方又は両方を保有している場合には、その品番ラベルをラベル貼付欄１４及び／又はラベル貼付欄１５に貼付してもらう。図５では、インプラントの品番ラベル１６をラベル貼付欄１４に貼付した例を示している。
【００３１】
そして、治療後にアバットメントの破損等によりメンテナンスの必要が生じた場合であって、かつ最初に治療を行った医療機関（以下「１次医療機関」と称する。）以外の医療機関（以下「２次医療機関」と称する。）での治療を希望する場合には、２次医療機関に口腔インプラント手帳１を持参して担当医に手渡す。
【００３２】
これにより、２次医療機関の担当医は、患者が１次医療機関で受けた治療の内容を迅速かつ具体的に把握することができるため、適切なメンテナンスを速やかに行うことができる。
【００３３】
なお、本考案は上記実施形態に限定されるものではない。
【００３４】
例えば、記録体本体１の材質は紙以外のもの（例えば、樹脂製シート）であってもよい。
【００３５】
また、患者に装着した構造物の識別ラベルには、上記実施形態で示した以外の情報（例えば、構造物のサイズ、材質等）を記載するようにしてもよい。なお、インプラントやアバットメント収納容器に添付されている内容物の明細記録を識別ラベルとして治療内容記録部に貼付するようにした場合、施術者の治療内容記録部への記載の手間が軽減されるので、好ましい。
【００３６】
その他にも、本考案の要旨を逸脱しない範囲で上記実施形態に種々の改変を施すことができる。
【符号の説明】
【００３７】
１  口腔インプラント手帳（口腔インプラント治療の情報記録体）
２  手帳本体（記録体本体）
３  第１の折曲線
４  第２の折曲線
５  第１のパート
６  第２のパート
７  第３のパート
８  患者への注意事項
９  個人情報記録部
１０  歯科医への注意事項
１１  記入例
１２  治療内容記録部
１３  表題
１４  ラベル貼付欄
１５  ラベル貼付欄
１６  品番ラベル（識別ラベル）
【図１】
0003181498.tif 000003
【図２】
0003181498.tif 000004
【図３】
0003181498.tif 000005
【図４】
0003181498.tif 000006
【図５】
0003181498.tif 000007
【手続補正書】
【提出日】平成24年10月1日(2012.10.1)
【手続補正１】
【補正対象書類名】実用新案登録請求の範囲
【補正対象項目名】全文
【補正方法】変更
【補正の内容】
【実用新案登録請求の範囲】
【請求項１】
口腔インプラント治療の情報記録体であって、
一枚の矩形状のシートにより形成されるとともに、第１の折曲線と第２の折曲線とによって、第１のパート、第２のパート及び第３のパートに区画された記録体本体と、
前記第１のパートの内面に設けられ、前記口腔インプラント治療を受けた患者を特定するための個人情報を記録する個人情報記録部と、
前記第２のパートの内面、前記第３パートの内面及び前記第３のパートの外面にそれぞれ設けられ、前記口腔インプラント治療の内容を記録する治療内容記録部と、
を含むことを特徴とする口腔インプラント治療の情報記録体。
【請求項２】
前記記録体本体が紙のシートから成ることを特徴とする請求項１に記載の口腔インプラント治療の情報記録体。
【請求項３】
前記記録体本体が前記第１の折曲線と前記第２の折曲線とに沿って冊子状に折り畳み可能であることを特徴とする請求項１または請求項２に記載の口腔インプラント治療の情報記録体。
【請求項４】
前記口腔インプラント治療により前記患者に装着した構造物の識別ラベルを貼付するラベル貼付欄を前記治療内容記録部に設けたことを特徴とする請求項１から請求項３のいずれか１項に記載の口腔インプラント治療の情報記録体。
【手続補正２】
【補正対象書類名】明細書
【補正対象項目名】００１１
【補正方法】変更
【補正の内容】
【００１１】
上記課題を解決するために、本考案は、口腔インプラント治療の情報記録体であって、一枚の矩形状のシートにより形成されるとともに、第１の折曲線と第２の折曲線とによって、第１のパート、第２のパート及び第３のパートに区画された記録体本体と、第１のパートの内面に設けられ、口腔インプラント治療を受けた患者を特定するための個人情報を記録する個人情報記録部と、第２のパートの内面、第３パートの内面及び第３のパートの外面にそれぞれ設けられ、口腔インプラント治療の内容を記録する治療内容記録部とを含むことを特徴としている。
【手続補正３】
【補正対象書類名】明細書
【補正対象項目名】００１３
【補正方法】変更
【補正の内容】
【００１３】
また、記録体本体は、第１の折曲線と第２の折曲線とに沿って冊子状に折り畳み可能なものとすることができる。この場合、コンパクトであるため、持ち運びや収納が容易という利点がある。
【手続補正４】
【補正対象書類名】明細書
【補正対象項目名】００１４
【補正方法】変更
【補正の内容】
【００１４】
また、口腔インプラント治療により患者に装着した構造物の識別ラベルを貼付するラベル貼付欄を治療内容記録部に設けるようにしてもよい。この場合、患者に装着した構造物の特定が容易になるので、便利である。
【手続補正書】
【提出日】平成24年12月3日(2012.12.3)
【手続補正１】
【補正対象書類名】実用新案登録請求の範囲
【補正対象項目名】全文
【補正方法】変更
【補正の内容】
【実用新案登録請求の範囲】
【請求項１】
口腔インプラント治療の情報記録体であって、
一枚の矩形状のシートにより形成されるとともに、第１の折曲線と第２の折曲線とによって、左端から順に第１のパート、第２のパート及び第３のパートに区画された記録体本体と、
前記第１のパートの内面に設けられ、前記口腔インプラント治療を受けた患者を特定するための個人情報を記録する個人情報記録部と、
前記第２のパートの内面、前記第３パートの内面及び前記第３のパートの外面にそれぞれ設けられ、前記口腔インプラント治療の内容を記録する治療内容記録部と、
を含むことを特徴とする口腔インプラント治療の情報記録体。
【請求項２】
前記記録体本体が紙のシートから成ることを特徴とする請求項１に記載の口腔インプラント治療の情報記録体。
【請求項３】
前記記録体本体が前記第１の折曲線と前記第２の折曲線とに沿って冊子状に折り畳み可能であることを特徴とする請求項１または請求項２に記載の口腔インプラント治療の情報記録体。
【請求項４】
前記口腔インプラント治療により前記患者に装着した構造物の識別ラベルを貼付するラベル貼付欄を前記治療内容記録部に設けたことを特徴とする請求項１から請求項３のいずれか１項に記載の口腔インプラント治療の情報記録体。
【手続補正２】
【補正対象書類名】明細書
【補正対象項目名】００１１
【補正方法】変更
【補正の内容】
【００１１】
上記課題を解決するために、本考案は、口腔インプラント治療の情報記録体であって、一枚の矩形状のシートにより形成されるとともに、第１の折曲線と第２の折曲線とによって、左端から順に第１のパート、第２のパート及び第３のパートに区画された記録体本体と、第１のパートの内面に設けられ、口腔インプラント治療を受けた患者を特定するための個人情報を記録する個人情報記録部と、第２のパートの内面、第３パートの内面及び第３のパートの外面にそれぞれ設けられ、口腔インプラント治療の内容を記録する治療内容記録部とを含むことを特徴としている。
【手続補正３】
【補正対象書類名】明細書
【補正対象項目名】００１９
【補正方法】変更
【補正の内容】
【００１９】
図２は本実施形態の展開図（内面側）であり、情報記入前の状態を示す。図２に示すように、手帳本体２は、第１の折曲線３と第２の折曲線４とによって、左端から順に第１のパート５、第２のパート６及び第３のパート７に区画されている。第２の折曲線４に沿って第３のパート７を第２のパート６上に折り重ね、第１の折曲線３に沿って第１のパート５を第３のパート７上に折り重ねることにより、図１に示すような冊子状となる。